(57)【要約】【課題】吸着剤を長期間連続して使用することが可能で、しかも、吸着剤の寿命を延ばすことができる圧縮空気の除湿装置を提供する。【解決手段】湿った圧縮空気を下方から上方へ通過させる筒体１を設ける。筒体１の内部に吸着剤２を配置する。吸着剤２の下方にデミスター３を配置する。デミスター３を通過して気液が分離した圧縮空気を吸着剤２にて除湿するように構成する。デミスター３は金属線を編み込んだワイヤーメッシュデミスターとする。吸着剤２は活性アルミナ、シリカゲル、合成ゼオライト、塩化リチウムの中から選択する。一対又は複数対の筒体１を構成する。各筒体１の間で乾燥と再生を交互に切換えて乾燥気体を連続的に供給するように構成する。【選択図】  図１
0003184690.tif 000002
【実用新案登録請求の範囲】
【請求項１】
圧縮空気の水分を吸着剤に吸着させて除湿する圧縮空気の除湿装置において、湿った圧縮空気を下方から上方へ通過させる筒体を構成し、該筒体の内部に吸着剤を配置すると共に、該吸着剤の下方に間隔をあけてデミスターを配置し、該デミスターを通過した圧縮空気を吸着剤にて除湿するように構成したことを特徴とする圧縮空気の除湿装置。
【請求項２】
前記デミスターは金属線を編み込んだワイヤーメッシュデミスターとし、前記吸着剤は活性アルミナ、シリカゲル、合成ゼオライト、塩化リチウムの中から選出された吸着剤とする請求項１記載の圧縮空気の除湿装置。
【請求項３】
前記筒体は一対又は複数対の筒体が構成され、各筒体の間で乾燥と再生を交互に切換えて乾燥気体を連続的に供給するように構成された請求項１記載の圧縮空気の除湿装置。
【考案の詳細な説明】
【技術分野】
【０００１】
本考案は、吸着剤を使用して圧縮空気を除湿する際に、吸着剤を長期間使用することが可能な圧縮空気の除湿装置に関する。
【背景技術】
【０００２】
エアーコンプレッサー等における圧縮空気の除湿装置において、吸着剤を利用した除湿装置が提案されている。この除湿装置では、活性アルミナ、シリカゲル、合成ゼオライトあるいは塩化リチウムなどの吸着剤に湿った圧縮空気を導き、吸着剤に水分を吸着させて乾燥空気とし、所定の供給先に供給する装置である。
【０００３】
このような吸着剤を利用した圧縮気体の除湿装置において、吸着剤の吸着能力の向上を図る除湿装置が特許文献１に記載されている。この除湿装置では、吸着剤が配置された吸着筒に湿った圧縮気体を送る際に、この湿った圧縮気体を、吸着筒の中央部に集流案内する整流手段を備えることで、吸着筒内の吸着剤に均一に吸着させ、吸着能力の向上を図る装置である。
【先行技術文献】
【特許文献】
【０００４】
【特許文献１】特開２００１−８２６号公報
【考案の概要】
【考案が解決しようとする課題】
【０００５】
ところが、特許文献１のように、吸着剤に対して湿った圧縮気体を均一に触れさせたとしても、吸着剤に多量の水分を吸着させると水分が水滴となる。この水滴が長時間吸着剤に接触していると、吸着剤が変質し割れや粉化が生じるものであった。
【０００６】
また、特許文献１では、吸着剤を充填する一対の吸着筒を備え、両吸着筒の間で乾燥と再生を交互に切換えて乾燥気体を連続的に供給するように構成している。そのため、水分を吸着した吸着剤を再生するには、水分を含んだ吸着剤をヒーターにて乾燥させる必要がある。したがって、乾燥と再生を交互に切換えて乾燥気体を連続的に供給するには、ヒーターが消費する乾燥用の電力が高まる不都合があった。
【０００７】
そこで、本考案は上述の課題を解消すべく案出されたもので、吸着剤を使用した圧縮空気の除湿装置において、吸着剤を長期間連続して使用することが可能で、しかも、吸着剤の変質を防止して吸着剤の寿命を延ばすことができる圧縮空気の除湿装置の提供を目的とするものである。
【課題を解決するための手段】
【０００８】
本考案の第１の手段は、圧縮空気の水分を吸着剤に吸着させて除湿する圧縮空気の除湿装置において、湿った圧縮空気を下方から上方へ通過させる筒体１を構成し、該筒体１の内部に吸着剤２を配置すると共に、該吸着剤２の下方に間隔をあけてデミスター３を配置し、該デミスター３を通過した圧縮空気を吸着剤２にて除湿するように構成したことにある。
【０００９】
第２の手段において、前記デミスター３は金属線を編み込んだワイヤーメッシュデミスターとし、前記吸着剤２は活性アルミナ、シリカゲル、合成ゼオライト、塩化リチウムの中から選出された吸着剤２とするものである。
【００１０】
第３の手段において、前記筒体１は一対又は複数対の筒体１が構成され、各筒体１の間で乾燥と再生を交互に切換えて乾燥気体を連続的に供給するように構成したものとする。
【考案の効果】
【００１１】
本考案の請求項１のごとく、筒体１の内部に吸着剤２を配置すると共に、該吸着剤２の下方に間隔をあけてデミスター３を配置し、該デミスター３を通過した圧縮空気を吸着剤２にて除湿するように構成したことで、圧縮空気に含まれている水分は、その多くが予めデミスター３にて除去されるので、吸着剤２に吸着する水分を軽減することができる。その結果、吸着剤２を長期間連続して使用することが可能になった。また、最終的に吸着剤２にて除湿するので、季節の変化や環境温度の変化などに全く影響を受けず、長期間の除湿が可能になる。
【００１２】
しかも、吸着剤２に水滴が直接接触することがなくなるので、吸着剤２の変質を防止することができる。したがって、従来の吸着剤のような割れや粉化を防止することも可能になった。
【００１３】
請求項２のごとく、前記デミスター３は金属線を編み込んだワイヤーメッシュデミスターとすることで、安定的な除湿効果を維持することができる。また、吸着剤２は活性アルミナ、シリカゲル、合成ゼオライト、塩化リチウムの中から選出される吸着剤２とするものであるから、除湿装置の容量や使用箇所等に応じ、任意の吸着剤２を選択することができる。
【００１４】
請求項３では、前記筒体１は一対又は複数対の筒体１が構成され、各筒体１の間で乾燥と再生を交互に切換えて乾燥気体を連続的に供給するように構成することで、吸湿した吸着剤２を乾燥させながら連続除湿することが可能になる。この場合、従来よりも吸着剤２の吸着水分量が少ないので、短時間で吸着剤２を再生することができる。したがって、ヒーターが消費する乾燥用の電力を節電することができる省エネ型の除湿装置の提供が可能である。
【図面の簡単な説明】
【００１５】
【図１】本考案供給装置を示す概略断面図である。
【考案を実施するための形態】
【００１６】
次に、図面に基づいて説明する。本考案は、主に空圧機器等に使用する圧縮空気の水分を吸着剤に吸着させて除湿する除湿装置である。本考案の主な構成は、筒体１、吸着剤２、デミスター３にて構成される。
【００１７】
筒体１は、湿った圧縮空気を下方から上方へ通過させるもので、この内部に吸着剤２とデミスター３とを配置する。
【００１８】
吸着剤２は、水分を吸着するものであればどのような材質でも選択することが可能であるが、特に、活性アルミナ、シリカゲル、合成ゼオライト、塩化リチウムの中から選出することで、除湿装置として有効な吸着効果が得られる。
【００１９】
デミスター３は、吸着剤２の下方に間隔をあけて配置される。このデミスター３は、金属線を編み込んだワイヤーメッシュデミスターとする。すなわち、細い金属線（O0.1〜0.35mm）を網状に編む。次に、このように編んだ金属線を特殊なロールで波付けし、必要な大きさに切断した上で幾層にも積層してマット状としたものである。金属線の材質としては、ステンレス鋼線全般・ニッケル・モネルメタル・チタニウム・銅・真鍮・鉄・アルミニウム合金等の金属線を選択することが可能である。特殊なものでは、金属線の代わりにプラスチック繊維を使用するものもある。
【００２０】
このようなデミスター３に圧縮空気中に含まれている水分が接触すると水滴となって編目に捕捉される。捕捉された水分は、編目の毛細管現象と液体の表面張力によって、次第に大きな水滴となり、最終的に自重で落下する。
【００２１】
本考案では、デミスター３を通過して多くの水分が分離した圧縮空気を、再び吸着剤２にて除湿するように構成したものである。この結果、吸着剤２の連続使用時間を延長することができるものである。しかも、吸着剤２に吸着する水分量が極端に少ないので、水滴に至るまでにはならない。そのため、吸着剤２の割れや粉化を防止することができる。
【００２２】
本考案除湿装置では、任意の使用方法が可能になる。例えば、吸着剤２の連続使用時間が長くなるので、単体の筒体１を備えた除湿装置として使用することが可能になる（図１参照）。
【００２３】
また、筒体１を一対又は複数対併設し、各筒体１の間で乾燥と再生を交互に切換えて乾燥気体を連続的に供給するように構成することも可能である（図示せず）。この場合、吸着剤２が吸着した水分量が少ない状態で再生できるので、再生に使用するヒーターの電力量を極力少なくすることが可能になる。
【００２４】
尚、本考案の筒体１の形状や容量、あるいは吸着剤２とデミスター３との位置などは図示例に限定されるものではなく、本考案の要旨を逸脱しない範囲内での設計変更等は自由に行えるものである。
【符号の説明】
【００２５】
１  筒体
２  吸着剤
３  デミスター
【図１】
0003184690.tif 000003